(57)【要約】【課題】塗膜転写具の大型化を防止し、または転写テープ巻の長さの増加を可能とすることを目的とする。さらに、交換ホルダの交換に関して再利用の観点から効率がよく、かつ交換が簡便で、当該交換後もヘッドに張架されるテープが弛緩しない技術の提供を目的とする。【解決手段】送出ボビン２１０を挟んで巻取ボビン２２０側と略反対側の位置になるように、テープベース１３０のアーム回転軸１３４が設けられ、送出ボビン２１０に巻装された転写テープの外周面までの距離より短い長さの第１のアーム１５１の一端がアーム回転軸１３４に固定されるとともに、第１のアーム部１５１の他端にテープヘッド１５３が備えられ、第１のアーム部１５１がアーム回転軸１３４を支点として回動することにより、テープヘッド１５３が回動される。【選択図】図４
2008168554.tif 000002
【特許請求の範囲】
【請求項１】
塗膜転写具本体と、テープを備えた交換用部材とを有した塗膜転写具であって、
前記交換用部材は、未使用テープの供給部と、使用済みテープの回収部と、該供給部および該回収部から離れた端部に配置され、該供給部から送出され該回収部に回収されるテープが張架されるテープ保持部とを有し、
前記塗膜転写具本体に対して前記交換用部材が装着されたときに前記交換用部材の前記供給部および前記回収部を回転可能に支持する回転機構と、
前記塗膜転写具本体における前記交換用部材の前記端部に対応する位置に配置されたテープヘッド回動軸と、
前記交換用部材が装着操作されたときに、前記テープヘッド回動軸を支点とし、該装着された前記供給部から前記回収部に送出される前記テープの往復経路と前記塗膜転写具本体における前記端部に対応する位置とによって囲われる領域において回転し、前記テープ保持部に代わって前記回収部に回収されるテープを張架するテープヘッドと、を備えたこと、
を特徴とする塗膜転写具。
【請求項２】
前記回転機構は、前記供給部としての送出ボビンの内部と係合し回転可能に支持する送出機構と、前記回収部としての巻取ボビンの内部と係合し回転可能に支持する巻取機構と、を有し、
前記送出機構を挟んで前記巻取機構側と略反対側の位置に前記テープヘッド回動軸が設けられたベース部材を備えたこと、
を特徴とする請求項１に記載の塗膜転写具。
【請求項３】
テープが予め巻かれた送出ボビンと該テープを巻き取る巻取ボビンとを、それらの各ボビンの軸方向に直交する面において回転可能にそれぞれの一端を片持ち支持する交換用ベース部材と、
前記送出ボビンの内部に係合する送出支柱と巻取ボビンの内部に係合する巻取支柱とを、一端側で片持ち支持し、かつ連携して回転させる連動機構を一面で支持するベース部材とを備え、
前記交換用ベース部材に対し、前記送出ボビンおよび巻取ボビンの前記一端に対する他端側からそれぞれの内部へ、前記ベース部材の送出支柱及び巻取支柱のそれぞれを差し込むことで該ベース部材に該交換用ベース部材が装着され、
前記テープに付着された塗膜を被転写体に転写させる塗膜転写具であって、
前記巻取支柱から前記送出支柱を経由して延長された直線に対して所定角度範囲内に前記ベース部材の前記一面側にそれと直交して設けられた回動軸を支点とし、該支点から前記送出ボビンに巻かれたテープまでの距離より短い長さの第１のアーム部材で回転可能に支持されたテープヘッドと、
前記装着された前記交換用ベース部材の前記一面上に、前記回動軸の基部と対向した位置を支点として、前記第１のアーム部材と略同じ長さの第２のアームで回転可能に設けられ、前記装着したときには該第１のアーム部材が伸長する方向において、前記回動軸を中心として前記テープヘッドの先端と対称な位置になるように該回動軸に係合し、共に回転可能にされたテープガイドとを、備え、
前記テープは、前記回転により先端へ位置したテープヘッドまたはテープガイドのいずれかによって張架されることを特徴とする塗膜転写具。
【請求項４】
前記回転により、前記テープヘッドが先端位置になったとき、または前記テープガイドが先端位置になったときは、それぞれの位置で、前記テープヘッドの位置をロックする第１のロック機構を前記ベース部材に備え、かつテープガイドの位置を固定する第２のロック機構を前記交換用ベース部材に備え、前記第１のロック機構のロック状態およびリリース状態は、前記第２のロック機構のロック状態及びリリース状態に追随すること、
を特徴とする請求項３に記載の塗膜転写具。
【請求項５】
前記回動軸から前記送出支柱を経由して延長された直線に対して所定角度範囲内に設けられた支点を中心に回転し、前記装着したベース部材および交換用ベース部材の一部を収容可能とする第１のカバーと、
前記第１のケースと同じ支点で回転し、前記装着したべース部材及び交換用ベース部材の前記一部の他の部分を収容可能な第２のカバーと、を備えたこと
を特徴とする請求項４に記載の塗膜転写具。
【請求項６】
前記第１のケースまたは前記第２のケースには複数の係合溝が形成され、
前記ベース部材に対し前記交換用ベース部材が前記装着されたときにおいて前記回動軸の基部と対向した位置になるように配置され、かつ該装着されたときに前記回動軸の先端に嵌合する孔を有し、前記ベース部材の一面側の一端に前記テープガイドを備えた前記第２のアームを有し、該一端に対する他端には前記複数の係合溝のそれぞれと係合されていくことにより前記回動軸を回転させる駆動ギアを有し、前記交換用ベース部材に貫通して形成された筒状の回転部材を備え、
前記第２のロック機構は、前記複数の係合溝と前記駆動ギアが前記係合されることに同期して、前記係合溝が形成された第１のケースまたは第２のケースによりロック状態が解除され、
前記係合溝が形成された第１のケースまたは第２のケースを展開する動作に連動して、
前記第１のロック機構のロックが解除されるとともに、前記駆動ギアが前記回動軸を前記塗膜転写具本体における端部に対応する位置において回転させることにより前記テープガイドおよび前記テープヘッドが回動され、該テープガイドが先端の位置にきたときに、前記第２のロック機構および前記第１のロック機構のロックが実行され、
前記係合溝が形成された第１のケースまたは第２のケースに前記交換ベース部材を収容させる動作に連動して、前記第２のロック機構および第１のロック機構のロックが解除されるとともに、前記テープガイドおよび前記テープヘッドが回転して、該テープヘッドが先端の位置にきたときに、該第１のロック機構のロックが実行されること、
を特徴とする請求項５に記載の塗膜転写具。
【発明の詳細な説明】
【技術分野】
【０００１】
本発明は、塗膜転写具に関し、特に、塗膜転写具用交換ホルダ（塗膜転写具の一部を構成し、消耗品、例えば塗膜を含み交換可能にされた部分構成）を有する塗膜転写具にかかる技術に関する。
【背景技術】
【０００２】
従来、糊の貼付や誤字の修正に用いる塗膜転写具が提案されている。この塗膜転写具における転写テープを用いて糊の貼付や誤字の修正を行うことができる。すなわち、転写テープは、樹脂テープまたは紙テープなどの表面に剥離可能な転写膜を備えて構成されており、この樹脂テープまたは紙テープなどを当該転写膜の搬送媒体とし、当該表面に設けられた転写膜を被転写体に押圧して塗布することにより、糊の貼付や誤字の修正を可能とする。
【０００３】
一般的にこのような塗膜転写具は、未使用の転写テープが巻装される供給ボビンと、当該供給ボビンを装着して転写テープを供給する供給シャフトと、供給ボビンから引き出された転写テープを張架して被転写体に転写テープを塗布するためのヘッドと、供給ボビンから引き出されてヘッドを経由して使用された使用済み転写テープが巻装される巻取ボビンと、当該巻取りボビンを装着して使用済み転写テープを巻き取る巻取シャフトを備えている。
【０００４】
従来塗膜転写具は、供給ボビンに巻装された未使用の転写テープのすべてを使用すると、塗膜転写具自体についても使用済みとして廃棄されていた。しかし近年では、塗膜転写具本体に未使用の転写テープを装着し、使用済み転写テープを取り外すことができるようになっている。すなわち、使用済み転写テープから、未使用の転写テープに交換することにより、塗膜転写具本体を再利用することができるようになった。
【０００５】
このように、転写テープの交換による再利用が可能な塗膜転写具には、さまざまな態様のものが存在する。例えば、供給シャフト、巻取シャフト、ヘッド、供給ボビン、巻取りボビンを交換部材とし、塗膜転写具本体はこれらを取り付けるカバーのみという構成のものがある。
【０００６】
しかし、このような構成の塗膜転写具は、塗膜転写具に要する部材の大半を交換部材としているので、転写テープを交換して塗膜転写具本体を再利用したとしても、再利用することができる本体側の部材はカバーのみとなってしまい、再利用の観点からは、効率がよくなかった。
【０００７】
一方、塗膜転写具本体の再利用の観点から、供給ボビンおよび巻取ボビンのみを交換する態様のものも存在する。この塗膜転写具では転写テープの交換に際して、塗膜転写具本体側に取り付けられた供給シャフトに供給ボビンを装着し、供給ボビンに巻装された転写テープのテープ部分を人手により把持してヘッドに張架させ、巻取シャフトに巻取りボビンを装着させる構成となっている。このような構成によると、柔軟な転写テープを人手によって固定されたヘッドに張架させなければならず、転写テープの交換作業が煩雑となるおそれがある。
【０００８】
そこで、転写テープとその他の部材が備えられた塗膜転写具用交換ホルダを用いた塗膜転写具が用いられるようになっている。この塗膜転写具用交換ホルダにはさまざまなものが存在する。
【０００９】
この塗膜転写具用交換ホルダを備えた塗膜転写具の構成として、例えば、次のようなものがある。当該塗膜転写具用交換ホルダは未使用転写テープを巻装した供給ボビン、巻取ボビンおよびヘッドを備えている。当該交換ホルダの供給ボビン、巻取ボビンを、対応する塗膜転写具本体のカバーに備えられた供給シャフト、巻取りシャフトに対し装着することで転写テープの交換を行う。
【００１０】
この塗膜転写具用交換ホルダでは、一般に当該ホルダの供給ボビンに巻装された転写テープをすべて使い切った後、塗膜転写具本体からホルダを取り外し、新たな未使用転写テープが巻装された供給ボビンを有する塗膜転写具用交換ホルダと交換する。したがって、塗膜転写具の転写テープの交換において、塗膜転写具本体に供給シャフト、巻取シャフトを留めておくことができ、塗膜転写具本体の部材を複数再利用することができる。さらに、転写テープの交換を、塗膜転写具用交換ホルダの着脱のみで行うことができ、従来の塗膜転写具と比較すると交換作業が簡便である。
【００１１】
ただし、この塗膜転写具用交換ホルダでは、転写テープの交換に際して、ヘッドを本体側に留めておくことができない。転写テープの交換においてこのヘッドは必ずしも交換する必要がなく、塗膜転写具本体の再利用という観点から、効率がよいものではなかった。一方で、塗膜転写具本体にヘッドを留める構成では、転写テープの交換において、交換後の転写テープをヘッドに張架させる工程が煩雑である。
【００１２】
すなわち、塗膜転写具においては被転写体に対する転写膜の転写効率の観点から、ヘッドに張架させる転写テープについてある程度の緊張を持たせた状態にする必要がある。しかし、供給ボビンからヘッドを経由して巻取りボビンへと転写テープを緊張させた状態で張架させることは、あらかじめ供給ボビンに巻装された転写テープが巻取りボビンに保持されていることおよび、転写膜を有した転写テープの硬度が低く、一定の形態に固定させることが困難であることを考慮すると、当該転写テープをヘッドに張架させることは困難であり、または非常に煩雑である。
【００１３】
したがって、塗膜転写具用交換ホルダには、塗膜転写具の効果的な再利用を考慮しつつ、交換時の簡便性と、装着後における転写テープの緊張状態の維持という要求を満たすことが要求される。
【００１４】
そこで、上下の２つの対向するカバーによって構成される塗膜転写具ケース内に供給シャフトおよび供給ギアと、中継ギアと、巻取りシャフトおよび巻取りギアと、ヘッドを有する塗膜転写具であって、これらケース内部の部材を当該対向する上部カバーまたは下部カバーのいずれか一方に備え、転写テープを巻装する交換可能な供給ボビンおよび巻取りボビンを交換する際に、当該上部・下部カバーを分離する動作に応じて、塗膜転写具に備えられたヘッドが供給ギアに取り付けられたアームによって供給シャフトと巻取りシャフトの間に回動して収納され、アームおよび転写ヘッドの回転軌跡上にある本体の周壁を切除するとともに、上部カバーには当該切除した本体の周壁に嵌合する部分壁を突出させたことを特徴とする塗膜転写具が提案されている（例えば、特許文献１）
【００１５】
特許文献１に記載の塗膜転写具は、転写テープの交換において供給ボビンおよび巻取りボビンのみを交換するので再利用の観点から効率がよい。また、転写テープの交換時にはヘッドを供給シャフトと巻取りシャフトとの間に収納させるので供給ボビンおよび巻取りボビンの装着が簡便となる。さらに塗膜転写具の使用時には、交換時に供給ボビンと巻取りボビンの間に収納されていたヘッドがアームにより元の位置に回動して復帰するから、ヘッドに張架される転写テープを緊張状態にすることが可能となる。
【００１６】
【特許文献１】特許３５２０１３８号公報
【発明の開示】
【発明が解決しようとする課題】
【００１７】
しかしながら特許文献１における塗膜転写具においては、供給シャフトと巻装シャフトとの間にヘッドを収納させる構成となっており、また、アームによるヘッドの回動が可能となるようにヘッドの回動軌跡上の部分は突出させなければならない。
【００１８】
このような構成によれば、供給シャフトと巻取りシャフトとの間には最低限ヘッドの収納領域を確保し、ヘッドの回転軌跡上にはヘッドの移動する領域を確保しなければならず、塗膜転写具が大型化してしまう。塗膜転写具は、一定以上大型化すると塗膜転写具の使用に支障をきたすおそれがあり、また、転写テープ巻の長さを増加させることが困難になるおそれがある。
【００１９】
本発明は、以上の問題点に鑑みてなされたものであって、その目的は、供給シャフトと巻取りシャフト間の領域の省スペース化を図ることにより、転写テープ巻の長さを増加させることを可能とし、または塗膜転写具の大型化を防止することを可能とすることを目的とする。さらに、塗膜転写具用交換ホルダの交換に関して再利用の観点から効率がよく、かつ当該交換が簡便で、当該交換後もヘッドに張架されるテープが弛緩しない技術の提供を目的とする。
【課題を解決するための手段】
【００２０】
上記の課題を解決するために、本発明は、塗膜転写具本体と、テープを備えた交換用部材とを有した塗膜転写具であって、前記交換用部材は、未使用テープの供給部と、使用済みテープの回収部と、該供給部および該回収部から離れた端部に配置され、該供給部から送出され該回収部に回収されるテープが張架されるテープ保持部とを有し、前記塗膜転写具本体に対して前記交換用部材が装着されたときに前記交換用部材の前記供給部および前記回収部を回転可能に支持する回転機構と、前記塗膜転写具本体における前記交換用部材の前記端部に対応する位置に配置されたテープヘッド回動軸と、前記交換用部材が装着操作されたときに、前記テープヘッド回動軸を支点とし、該装着された前記供給部から前記回収部に送出される前記テープの往復経路と前記塗膜転写具本体における前記端部に対応する位置とによって囲われる領域において回転し、前記テープ保持部に代わって前記回収部に回収されるテープを張架するテープヘッドと、を備えたこと、を特徴とする塗膜転写具である。
【００２１】
また、本発明は、テープが予め巻かれた送出ボビンと該テープを巻き取る巻取ボビンとを、それらの各ボビンの軸方向に直交する面において回転可能にそれぞれの一端を片持ち支持する交換用ベース部材と、前記送出ボビンの内部に係合する送出支柱と巻取ボビンの内部に係合する巻取支柱とを、一端側で片持ち支持し、かつ連携して回転させる連動機構を一面で支持するベース部材とを備え、前記交換用ベース部材に対し、前記送出ボビンおよび巻取ボビンの前記一端に対する他端側からそれぞれの内部へ、前記ベース部材の送出支柱及び巻取支柱のそれぞれを差し込むことで該ベース部材に該交換用ベース部材が装着され、前記テープに付着された塗膜を被転写体に転写させる塗膜転写具であって、前記巻取支柱から前記送出支柱を経由して延長された直線に対して所定角度範囲内に前記ベース部材の前記一面側にそれと直交して設けられた回動軸を支点とし、該支点から前記送出ボビンに巻かれたテープまでの距離より短い長さの第１のアーム部材で回転可能に支持されたテープヘッドと、前記装着された前記交換用ベース部材の前記一面上に、前記回動軸の基部と対向した位置を支点として、前記第１のアーム部材と略同じ長さの第２のアームで回転可能に設けられ、前記装着したときには該第１のアーム部材が伸長する方向において、前記回動軸を中心として前記テープヘッドの先端と対称な位置になるように該回動軸に係合し、共に回転可能にされたテープガイドとを、備え、前記テープは、前記回転により先端へ位置したテープヘッドまたはテープガイドのいずれかによって張架されることを特徴とする塗膜転写具である。
【発明の効果】
【００２２】
上記の本発明による塗膜転写具は、未使用テープの供給部と、使用済みテープの回収部と、供給部および回収部から離れた端部に配置され、供給部から送出され回収部に回収されるテープが張架されるテープ保持部とを有する交換用部材を備えている。また、塗膜転写具本体には、塗膜転写具本体における端部に対応する位置にテープヘッド回動軸が配置され、さらに交換用部材が装着操作されたときにテープヘッド回動軸を支点とし、装着された供給部から回収部に送出されるテープの往復経路と塗膜転写具本体における端部に対応する位置とによって囲われる領域にて回転し、テープ保持部に代わってテープが張架されるテープヘッドを備えて構成されている。
【００２３】
したがって、このように、塗膜転写具の端部とテープの往復経路との間でテープヘッドを回動させ、テープヘッドとテープ保持部との間でテープの保持状態を切替えることにより、装着された供給部と回収部の間隔を拡張することなく、テープが張架される状態を、緊張状態と弛緩状態に切り替えることが可能となる。したがって、塗膜転写具を大型化せずに、簡便な塗膜転写具用交換ホルダの交換を可能とし、当該交換後もテープヘッドに張架されるテープが弛緩しない。また、ヘッドがベース部材側に設けられており、再利用の観点から当該交換において効率がよい。さらに、ボビンに巻装されるテープ巻の長さを増加させることを可能とする。
【００２４】
また、本発明による塗膜転写具は、テープがあらかじめ巻かれた送出ボビンと、テープを巻き取る巻取りボビンと、回転可能に設けられテープガイドを有する第２のアームと、を備えた交換用ベース部材を備えている。また、塗膜転写具に交換用ベース部材が装着されたときに塗膜転写具のベース部材に設けられた回動軸を支点とする第１のアーム部材で回転可能に支持されたテープヘッドの先端と対称な位置になるようにテープガイドが回転軸に係合し、テープヘッドおよびテープガイドが共に回転可能となるように構成されている。このように共に回転することで、塗膜転写具におけるテープは、先端へ位置したテープヘッドまたはテープガイドのいずれかによって張架されるように構成されている。
【００２５】
このように、送出ボビンを挟んで巻取ボビン側と略反対側の位置においてテープヘッドが回動し、テープヘッドとテープガイドとの間でテープの保持状態を切替えることにより、送出ボビンと巻取りボビンの間隔を拡張することなく、テープが張架される状態を、緊張状態と弛緩状態に切り替えることが可能となる。したがって、塗膜転写具を大型化せずに、簡便な塗膜転写具用交換ホルダの交換を可能とし、当該交換後もヘッドに張架されるテープが弛緩しない。また、ヘッドがベース部材側に設けられており、再利用の観点から当該交換において効率がよい。さらに、ボビンに巻装されるテープ巻の長さを増加させることを可能とする。
【発明を実施するための最良の形態】
【００２６】
（全体構成）
この発明の第１の実施形態にかかる塗膜転写具および塗膜転写具用交換ホルダの構成について、図１〜図５を参照して概略を説明する。図１は、この発明の実施形態にかかる塗膜転写具の外形を示す概略斜視図である。また、図２（Ａ）は、この発明の実施形態にかかる塗膜転写具において本体カバーが閉じられている状態を示す図であり。図２（Ｂ）は、この発明の実施形態にかかる塗膜転写具において交換ホルダを交換する際に本体カバーが展開されている状態を示す図である。図２（Ｃ）は、この発明の実施形態にかかる塗膜転写具において本体カバーが展開され、交換ホルダが取り外された状態を示す図面である。図３は、この発明の実施形態にかかる塗膜転写具のテープヘッドとテープガイドの動作を示す概略図である。
【００２７】
図１および図２に示すように、この実施形態にかかる塗膜転写具の外形をなす本体ケース１００は、第１のカバー１１０と第２のカバー１２０とを備えて構成される。この第１のカバー１１０に設けられたケース回動軸（図６の軸部１１１ａ・１１１ｂを一体としたもの）の両端には第２のカバー１２０の嵌合部１２１ａ・１２１ｂが嵌合され、図２（Ｂ）に示すように、当該ケース回動軸を軸中心として当該第１のカバー１１０および第２のカバー１２０のそれぞれを、互いに逆方向に回動させることにより（図６参照）、本体ケース１００を展開することができる。
【００２８】
また、図１に示すような本体ケース１００が展開せず閉じられた状態（以下、「閉鎖状態」という）となっているときに、第１のカバー１１０の一方の側面の形状は第２のカバー１２０の側面の形状と互いに合致する。また、後述する交換ホルダ２００を収容するために、第１のカバー１１０と第２のカバー１２０は内部が空洞となっている。
【００２９】
次に、図１、図３〜図６を用いて塗膜転写具の内部の構成について概略を説明する。図４はこの発明の実施形態における塗膜転写具の概略正面図である。また図５は、この発明の実施形態における塗膜転写具の各構成部品とその結合関係を示す分解斜視図である。図６は、この発明の実施形態における塗膜転写具の第２のカバー１２０側から見た下面図である。
【００３０】
図４に示すように、塗膜転写具は、本体ケース１００の内部に配置されるテープベース１３０（本発明における「ベース部材」に該当する／図２（Ｃ）参照）に転写テープを巻装するための２つのボビン（２１０・２２０）を有した交換ホルダ２００（本発明における「交換用部材」の一例に該当する）が装着されて構成される。また、当該テープベース１３０は、図５および図６に示すように第２のカバー１２０とともに第１のカバー１１０におけるケース回動軸を保持孔１３１に挿通させて回動自在に軸支されている。交換ホルダ２００は、図２（Ｂ）に示すように、送出ボビン２１０（本発明における「供給部」の一例に該当する）、巻取りボビン２２０（本発明における「回収部」の一例に該当する）の他、交換ベース２０１（本発明における「交換用ベース部材」の一例に該当する）に駆動ギア２３０および当該駆動ギア２３０と連動するテープガイド２３３、第２ロック機構２４０を有している。この交換ホルダ２００の詳細な構造については後述する。
【００３１】
第１のカバー１１０におけるケース回動軸（図６の１１１ａ・１１１ｂ）を軸中心として本体ケース１００を展開させ（図２（Ｂ）参照）、テープベース１３０を回動させることにより、第１のカバー１１０および第２のカバー１２０から解放させ、交換ホルダ２００を着脱可能な状態にすることができる（図２（Ｂ）・（Ｃ）参照）。また、この第１のカバー１１０における上記ケース回動軸により、後述する係合溝１１３と駆動ギア２３０の係合関係を一定に保持することができる。
【００３２】
テープベース１３０は、当該テープベース１３０を収容する本体ケース１００の開口部（図１における係合溝１１３を含む端部）から突出する。図５に示すようにこのテープベース１３０における当該突出させた側の端部には、テープベース１３０から立設するアーム回動軸１３４（本発明における「ヘッド回動軸」「回動軸」の一例に該当する）が形成されている。また、テープベース１３０におけるアーム回動軸１３４が形成されている側の面には、中央近傍に送出シャフト１３２が、アーム回動軸１３４と略反対側の端部には巻取りシャフト１３３が形成されている。さらに、図５に示すように、アーム回動軸１３４には、テープヘッド１５３を備えた第１のアーム１５１が装着されている。
【００３３】
また、このテープベース１３０の送出シャフト１３２に送出ボビン２１０が挿通され、巻取りシャフト１３３に巻取りボビン２２０が挿通されて、交換ホルダ２００がテープベース１３０に装着される。また、交換ベース２０１の一面であって巻取りボビン２２０が結合されている側と反対側の端部には第２のアーム２３２が送出ボビン２１０等と同方向に立設している。この第２のアーム２３２は、交換ホルダ２００が装着されることに伴って第１のアーム１５１に装着される。
【００３４】
また図１に示すように、この第２のアーム２３２と交換ベース２０１を挟んで反対側の面には、駆動ギア２３０が形成されている。この駆動ギア２３０から交換ベース２０１を貫通して形成された筒体２３１（図９（Ｂ）参照／本発明における「筒状の回転部材」の一例に該当する）を有し、当該筒体２３１を通じて第２のアーム２３２と接続されている。
【００３５】
次に、図２および図３を用いて塗膜転写具の本体ケースおよびアーム駆動機構１５０について概略を説明する。
【００３６】
図２（Ａ）・（Ｂ）に示すように塗膜転写具は、第１のカバー１１０と第２のカバー１２０を回動させ離隔させることにより、本体カバー１００からテープベース１３０を解放し、図２（Ｂ）・（Ｃ）に示すように交換ホルダ２００を脱着可能としている。
【００３７】
また、この発明の実施形態にかかる塗膜転写具は、第１のカバー１１０と第２のカバー１２０が互いに当接している状態、すなわち図２（Ａ）のような本体カバー１００が閉じられている状態においては、図３に示す(Ａ)の状態、すなわちテープヘッド１５３の位置が、テープベース１３０の先端に位置し、テープヘッド１５３に転写テープが張架される。このとき交換ホルダ２００に備えられたテープガイド２３３は、交換ホルダ２００およびテープベース１３０の略中央方向へ向かった位置に配置される。
【００３８】
また、第１のカバー１１０と第２のカバー１２０が互いに当接せずに離隔し始めて本体カバー１００がテープベース１３０の一部を収容している状態では、第１のカバー１１０の係合溝１１３が交換ホルダ２００の駆動ギア２３０を回転させることにより、第１のアーム１５１と当該第１のアーム１５１に装着された第２のアーム２３２を回転させ、第１のアーム１５１に保持されているテープヘッド１５３をテープベース１３０の中央側（図３におけるＹ方向）へ回動させる。すなわち、図２（Ａ）から（Ｂ）の状態へ移行していくにつれて、図３に示す(Ｂ)の状態のようにテープヘッド１５３とテープガイド２３３の位置を入れ替える。
【００３９】
また、この第１のアーム１５１および第２のアーム２３２が回動される範囲は、本体カバー１００から突出したテープベース１３０の先端（交換ホルダ２００の端部に対応する位置）と、送出ボビン２１０からテープヘッド１５３（またはテープガイド２３３）を介し巻取りボビン２２０へ至る転写テープの往復経路とによって囲われた領域内で回動させる。
【００４０】
第１のカバー１１０と第２のカバー１２０が互いに離隔し、図２（Ｂ）・（Ｃ）のような本体カバー１００が展開されている状態、すなわち本体カバー１００からテープベース１３０が解放されている状態においては、図３に示す（Ｃ）の状態、すなわち交換ホルダ２００のテープガイド２３３がテープベース１３０の先端位置にあり、入れ替わってテープヘッド１５３がテープベース１３０の略中央方向へ向かった位置に配置され、テープガイド２３３に転写テープが張架される。
【００４１】
また、図２（Ｃ）に示すように塗膜転写具のテープベース１３０に交換ホルダ２００が装着されていない状態から、図２（Ｂ）に示すように交換ホルダ２００を装着させ、図（Ａ）に示すように第１のカバー１１０と第２のカバー１２０を近接させ、当接させると係合溝１１３が駆動ギア２３０を回転させ、第１のアーム１５１および第２のアーム２３２を回転させ、テープガイド２３３をテープベース１３０の中央側（図３におけるＸ方向）へ回動させる。すなわち、図２（Ｂ）から（Ａ）の状態へ移行していくにつれて、図３に示す(Ｂ)の状態のようにテープガイド２３３とテープヘッド１５３の位置を入れ替える。この図２（Ｂ）から（Ａ）の状態へ移行していく操作は、本発明における「装着操作」の一例に該当する。
【００４２】
以上のように、この発明の実施形態にかかる塗膜転写具は、本体ケース１００が閉じている状態においては、テープベース１３０側に設けられたテープヘッド１５３が、送出ボビン２１０から送出される転写テープを緊張させた状態で張架させている。一方、転写テープの交換に際して交換ホルダ２００を交換させるために本体カバー１００を展開させると、テープヘッド１５３を保持する第１のアーム１５１がアーム回動軸１３４を支点として回動し、交換ホルダ２００側に設けられた第２のアーム２３２に保持されたテープガイド２３３と位置を入れ替える。テープガイド２３３が、テープヘッド１５３と位置を入れ替えることにより、交換ホルダ２００の脱着が容易となる。以下、この発明の実施形態における塗膜転写具について詳細に説明する。
【００４３】
（各部品の構成）
次に、この発明の実施形態にかかる塗膜転写具および塗膜転写具用交換ホルダにおける各部品および各部の構成について、図１〜図９を参照して説明する。
【００４４】
〈第１のカバーの構成〉
図７（Ａ）・（Ｂ）を用いて第１のカバー１１０について説明する。図７（Ａ）は、第１のカバー１１０における駆動カバー１１０ａを外側から見た図である。また、図７（Ｂ）は、第１のカバー１１０における収容カバー１１０ｂを内側から見た図である。
【００４５】
図５および図７（Ａ）・（Ｂ）に示すように第１のカバー１１０は、透明な部材で形成される駆動カバー１１０ａおよび収容カバー１１０ｂが互いに対向するように組み合わされて構成される。また駆動カバー１１０ａおよび収容カバー１１０ｂの外周部分は、互いに対向する面と略直交する方向に突出する周壁部１１２ａ・１１２ｂを備えている（図５および図７（Ａ）・（Ｂ）参照）。
【００４６】
図５および図７（Ａ）に示すように駆動カバー１１０ａにおける周壁部１１２ａは、駆動カバー１１０ａの外周部分の形状に合わせて形成され、軸部１１１ａを一端に有している。また図５に示すように、周壁部１１２ａにおいて軸部１１１ａ側と対向する側の他端には、駆動ギア２３０と係合する複数の溝が形成されてなる係合溝１１３を備えている。この係合溝１１３における複数の溝の深さと大きさは後述する駆動ギア２３０の回転量を量定するように形成される。この回転量については後述する。
【００４７】
また、図５に示すように駆動カバー１１０ａが第２のカバー１２０と当接する部分における、軸部１１１ａが形成されている側と反対側には、第２のカバー１２０を固定する固定孔１１４ａが設けられている。
【００４８】
図５および図７（Ｂ）に示すように収容カバー１１０ｂは、駆動カバー１１０ａと左右相称となるように形成され、軸部１１１ｂ、周壁部１１２ｂ、固定孔１１４ｂを備えている。ただし収容カバー１１０ｂでは係合溝は形成されない。
【００４９】
これらの駆動カバー１１０ａにおける周壁部１１２ａと収容カバー１１０ｂの周壁部１２ｂとを突出方向において対向させ、当接させて組み合わせることにより、第１のカバー１１０が形成される。また、駆動カバー１１０ａと収容カバー１１０ｂとが組み合わされることにより当該軸部１１１ａと軸部１１１ｂとは互いに対向し、前述のケース回動軸が形成される。
【００５０】
〈第２のカバーの構成〉
図３、図５および図７（Ｃ）を用いて第２のカバー１２０について説明する。図７（Ｃ）は、本発明の実施形態における塗膜転写具の第２のカバー１２０を示す正面図である。
【００５１】
また第２のカバー１２０は、互いに対向する一対の平板状の面（図７（Ｃ））と、当該平板状の両面の外周部分同士を結ぶように、当該両面と直交する方向へ突出する周壁（図５・図７（Ｃ）参照）とを一体に形成して構成される。
【００５２】
この第２のカバー１２０は、図５に示すように周壁の一端において軸部１１１ａ・軸部１１１ｂを挟持して嵌合する嵌合部１２１ａ・１２１ｂを有する。当該嵌合によりそれぞれを回転軸として第２のカバー１２０が回動可能となる。
【００５３】
また、図５および図７（Ｃ）に示すように、第２のカバー１２０における、嵌合部１２１ａ・１２１ｂが形成されている側と反対側の端部には、第１のカバー１１０の固定孔１１４ａ・１１４ｂと掛合するフック１２２がそれぞれ設けられている。第１のカバー１１０と第２のカバー１２０が当接することにより、第１のカバー１１０における固定孔１１４ａ・１１４ｂとフック１２２がそれぞれ掛合う。
【００５４】
この掛合により、第１のカバー１１０と第２のカバー１２０が互いに対して離隔する方向に回動できなくなる（図１参照）。つまり、塗膜転写具の使用時に本体ケース１００が展開してしまう事態を防止する。一方、このフック１２２それぞれの掛合いを解除することにより、転写テープを交換する場合に本体ケース１００を展開可能な状態とすることができる。
【００５５】
また、図５に示すように第２のカバー１２０の各フック１２２の近傍には、キャップ１２３が設けられている。このキャップ１２３は一端を第２のカバー１２０に軸支されて回動する。また、図３および図５に示すようにこのキャップ１２３は、後述するテープヘッド１５３を収納自在となっている。したがって塗膜転写具の未使用時に転写テープに付着されている塗膜（修正塗膜、塗膜糊）を誤って転写してしまう事態を防止することができる。
【００５６】
〈テープベースの構成〉
図８（Ａ）を用いてテープベース１３０について説明する。図８（Ａ）は、本発明の実施形態における塗膜転写具のテープベースを示す正面図である。本実施形態におけるテープベース１３０は、交換ホルダ２００を塗膜転写具本体に装着させるためのものであり、交換ホルダ２００と同様に本体ケース１００内部に収容されるものである。
【００５７】
図５および図８（Ａ）に示すようにテープベース１３０の一面の中央には、後述する送出ボビン２１０を嵌挿する送出シャフト１３２が設けられ、同一面の一端には後述する巻取りボビン２２０を嵌挿する巻取りシャフト１３３が形成される。また当該一面の一端に対する他端には、アーム回動軸１３４が設けられている。より詳しくは、図８（Ａ）に示すように巻取りシャフト１３３の中心から送出シャフト１３２の中心を経由して延長された直線に対して所定角度内にアーム回動軸１３４が設けられるような構成となっている。この所定角度とは、後述する送出ボビン２１０からテープヘッド１５３に張架され、巻取りボビン２２０へと至る転写テープが送出ボビン２１０に巻装された転写テープの外周面に接することができるような角度である。
【００５８】
また、テープベース１３０の外周面であって巻取りシャフト１３３が設けられている側の周辺において軸部１１１ａ・１１１ｂと嵌合する保持孔１３１が設けられている。
【００５９】
〈ボビン駆動機構の構成〉
次に、図５を用いてボビン駆動機構について概略を説明する。
【００６０】
図５に示すように、ボビン駆動機構１４０は、送出ギア１４１と、巻取りギア１４２と、クラッチ機構１４３を備えて構成される。この送出ギア１４１はその中央に設けられた取付孔によってテープベース１３０における送出シャフト１３２に装着され、巻き取りギア１４２は巻取りシャフト１３３に装着される。なお、ボビン駆動機構１４０と送出ギア１４１、巻取りギア１４２は、本発明における「回転機構」の一例に該当する。
【００６１】
送出ギア１４１は、後述する送出ボビン２１０の回転力を巻取りギア１４２に伝えるためのものである。すなわち、送出ギア１４１は巻取りギア１４２と係合して巻取りギア１４２を回転させるものである。また、図２（Ｃ）および図５に示すようにクラッチ機構１４３は、送出シャフト１３２に嵌挿可能にするために貫通孔が設けられている。このクラッチ機構１４３は送出ボビン２１０の回転力を送出ギア１４１に伝え、送出ギア１４１と巻取りギア１４２が直接噛合し、巻取りギア１４２を回転させる。
【００６２】
図５に示すように、巻取りギア１４２はその中央部分において、巻取りギア１４２の面と直交し、かつ貫通孔が設けられた駆動パイプ１４２ａを備えている。当該貫通孔は巻取りシャフト１３３に嵌挿可能となるように形成される。また、駆動パイプ１４２ａには、巻取りギア１４２の回転力を巻取りボビン２２０に伝える。
【００６３】
〈アーム回動機構の構成〉
次に図５および図８（Ｂ）・（Ｃ）を用いてアーム駆動機構について詳細に説明する。図８（Ｂ）は、この発明の実施形態にかかる塗膜転写具のアーム駆動機構１５０を示す図である。また、図８（Ｃ）は、この発明の実施形態にかかる塗膜転写具のアーム駆動機構における第１のアームの回転量を調整する第１のロック機構の一部を示す図である。
【００６４】
図５に示すように、アーム駆動機構１５０は、テープベース１３０に設けられているアーム回動軸１３４に嵌挿する回動筒１５１ａが設けられた第１のアーム１５１と、アームベース１５２、テープヘッド１５３を備えて構成されている。
【００６５】
図５および図８（Ｂ）に示すように第１のアーム１５１は、回動筒１５１ａとアーム部１５１ｂとを備えて構成されている。また、図５に示すように回動筒１５１ａは、両端に開口部を有する筒状となっており、一端はテープベース１３０の一面と当接するアームベース１５２と結合され、他端は、アーム部１５１ｂと結合されている。この第１のアーム１５１は、アームベース１５２が形成されている側からアーム回動軸１３４に嵌挿される。また、回動筒１５１ａの内部は、アーム回動軸１３４よりやや大きい径を有するように形成されているので、アーム回動軸１３４を支点として回動筒１５１ａが回転可能となるように構成されている。
【００６６】
回動筒１５１ａの端部に形成されるアーム部１５１ｂは、図５および図８（Ｂ）に示すように、当該端部から、回動筒１５１ａの長軸方向に対し略直交する方向に伸長している。また、その伸長した先端部を切欠くことによって形成された保持部１５１ｃを備えている。この保持部１５１ｃは、後述するアームベース１５２の保持部１５２ｃとともにテープヘッド１５３を回転可能に保持する。
【００６７】
また、アーム部１５１ｂの伸長する長さは、交換ホルダ２００がテープベース１３０に装着された場合において、送出ボビンに巻装された転写テープの外周面までの距離より短い長さであって、テープヘッド１５３に張架される転写テープの張力が、塗膜転写具の使用時における転写加重や転写の確度の観点から最適となるような長さとなるように形成される。
【００６８】
図５および図８（Ｂ）に示すように、回動筒１５１ａの端部に結合されるアームベース１５２は、略中央に回動筒１５１ａの開口部に連続する開口部を備えテープベース１３０におけるアーム回動軸１３４を嵌挿可能としている。また、アームベース１５２は、回動筒１５１ａの長軸方向と直交するように伸延している。この伸延する方向は、一方ではアーム部１５１ｂが伸長する方向であり、他方ではアーム部１５１ｂが伸長する方向と反対方向である。
【００６９】
また、図５およびに図８（Ｂ）示すように、アームベース１５２の中心から、アーム部１５１ｂが伸延する方向側の一端までの距離は、アーム部１５１ｂの長さと略同一となる（図３参照）。これは、アーム部１５１ｂおよびアームベース１５２に対してテープヘッド１５３が直交するように保持させるためである。また、アームベース１５２の当該一端、すなわち外周部であって、回動筒１５１ａの長軸方向においてアーム部１５１ｂの保持部１５１ｃと対向する位置には、テープヘッド１５３の端部を保持する保持部１５２ｃを備えている。この保持部１５２ｃは、保持部１５１と同じくアームベース１５２の外周部を切欠いて形成する。
【００７０】
また、図５および図８（Ｂ）に示すように、アームベース１５２は、保持部１５２ｃが形成されている側と反対側の外周部が曲面となるように形成される。またアームベース１５２は、外周部分において、当該曲面と連続する切欠部１５２ｄ・１５２ｅを備えている。当該切欠部１５２ｄ・１５２ｅは、アームベース１５２の外周において対向する位置に形成される。また、切欠部１５２ｄ・１５２ｅには、図５に示す係合片１５４の先端の突部が係合する。
【００７１】
より詳しくは、図８（Ｂ）のように、アームベース１５２におけるおよそ１８０度相対する位置に２つの切欠部がありそれのいずれかに、係合片１５４の突部が係合することにより、保持部１５１ｃ・１５２ｃに保持されたヘッド回転軸１５３ａが、図８（Ｂ）のように塗膜転写具の先端側にあってテープヘッド１５３が使用状態になる位置になるかまたは、およそ１８０度回転された反対側の位置になるように、２つの状態（図３（Ｂ）・（Ｃ）参照）でアームベース１５２、第１のアーム１５１等の回動をロックさせる。
【００７２】
この係合片１５４はテープベース１３０における送出シャフト１３２とアーム回動軸１３４とを結ぶ直線の近傍に設けられた支点（図５参照）に軸支されて、アーム回動軸１３４の側方を通過し、先端には突部を備えている。この突部は、アームベース１５２の切欠部１５２ｄ・１５２ｅに係合することにより、アームベース１５２の回転範囲を規制する。すなわち、係合片１５４の先端の突部が一方の切欠部１５２ｄ・１５２ｅに係合しているとき、さらにアームベース１５２を特定方向に回転させようとしても切欠部１５２ｄ・１５２ｅと係合片１５４の突部が当接して当該特定方向への回転を規制する。なおアームベース１５２の回転範囲については後述する。
【００７３】
また図５に示すように、テープヘッド１５３は、両端に開口部を有する筒状体の本体と、その本体の開口部よりもやや小さい径を有するヘッド回転軸１５３ａを備えて構成される。ヘッド回転軸１５３ａの長軸方向における両端は、前述の通り第１のアーム１５１のアーム部１５１ｂにおける保持部１５１ｃと、アームベース１５２における保持部１５２ｃに着脱可能に保持されている。このヘッド回転軸１５３ａに対し、テープヘッド１５３の筒状体の本体が回転することにより、当該テープヘッド１５３に張架される転写テープを円滑に送り出すことができる。
【００７４】
〈交換ホルダの構成〉
次に図５および図９（Ａ）・（Ｂ）を用いて交換ホルダについて説明する。図９（Ａ）は、この発明の実施形態にかかる塗膜転写具の交換ホルダを示す図である。また、図９（Ｂ）は、この発明の実施形態にかかる塗膜転写具の第２のアーム、駆動ギアおよびテープガイドを示す概略図である。また図１０は、この発明の実施形態における塗膜転写具の交換ホルダを示す概略斜視図である。
【００７５】
図５、図９（Ａ）・（Ｂ）および図１０に示すように交換ホルダ２００は、略平板状に形成された交換ベース２０１を有し、当該交換ベース２０１には、テープベース１３０と対向する面の略中央に未使用の転写テープを巻装する送出ボビン２１０と、当該面の一端近傍に使用済みの転写テープを巻回する巻取りボビン２２０と、当該一端に対する他端近傍において駆動カバー１１０ａの係合溝１１３と係合して回転する駆動ギア２３０と、当該駆動ギア２３０と送出ボビン２１０との間に形成され、駆動ギア２３０の回転を係止する第２のロック機構２４０とを備えて構成される。また、送出ボビン２１０・巻取りボビン２２０には、送出シャフト１３２・巻取りシャフト１３３が回転自在に嵌挿される。
【００７６】
交換ホルダ２００は、駆動ギア２３０の下面と結合し当該駆動ギア２３０が設けられている交換ベース２０１の面からその裏面に貫通して突出する筒体２３１を備えている。また、筒体２３１は両端に開口部を備え、内部は筒状となっている。また、この筒体２３１は交換ホルダ２００がテープベース１３０に装着されると、筒対２３１に対してアーム回動軸１３４の先端が挿通される。
【００７７】
また、筒体２３１には、送出ボビン２１０から駆動ギア２３０へと伸長する直線の延長線上（図１０参照）であって、当該延長する方向へ伸長する第２のアーム２３２が結合されている（図９（Ｂ））。この第２のアーム２３２は、第１のアーム１５１のアーム部１５１ｂと略同一の長さを有する。
【００７８】
当該第２のアーム２３２の形状は、図３に示すように、その先端へ連続して一体形成されたテープガイド２３３からアーム回動軸１３４方向になるにつれ末広がりの形状をしており（図３（Ａ）〜（Ｃ）参照）、その末広がり部分が図５に示す回動筒１５１ａを覆うように係合する構造とされている。すなわち交換ホルダ２００がテープベース１３０に装着されると、この第２のアーム２３２は第１のアーム１５１における回動筒１５１ａに対して係合する。
【００７９】
また、第２のアーム２３２の先端にはテープガイド２３３を備えており、このテープガイド２３３はテープヘッド１５３と回動筒１５１ａ・アーム回動軸１３４を挟んで対称となる位置に配置される。また、テープガイド２３３（本発明における「テープ保持部」の一例に該当する）からアーム回動軸１３４までの距離は、テープヘッド１５３からアーム回動軸１３４までの距離よりやや短い距離となる。
【００８０】
また、駆動ギア２３０が回転されると結合された筒体２３１が回転される。筒体２３１が回転されると当該筒体２３１に結合された第２のアーム２３２が回転される。第２のアーム２３２が回転されると図３（Ｂ）に示すように係合されている第１のアーム１５１がアーム回動軸１３４を支点として回動される。
【００８１】
そして、図３（Ａ）に示すようにテープヘッド１５３が先端へ位置しているときは転写テープが当該テープヘッド１５３に張架される。他方、第１のアーム１５１が回転し、テープガイド２３３が交換ベース２０１の先端へ位置しているときは、図３（Ｃ）および図１０に示すように転写テープがテープガイド２３３に張架される。ただし、テープガイド２３３はテープヘッド１５３と異なり、アーム回動軸１３４からの距離がやや短いため、テープガイド２３３に張架される転写テープの張力も小さくなる。
【００８２】
図９（Ｂ）および図１０に示すように交換ホルダ２００における送出ボビン２１０の中心から駆動ギア２３０までの間に設けられた第２のロック機構２４０は、送出ボビン２１０から駆動ギアへ向かう方向に伸長するアームを備え、その先端部には駆動ギア２３０の突起部を保持する係合溝が当該先端部を切欠くことにより形成されている。
【００８３】
この第２のロック機構２４０は、第１のカバー１１０が展開されたときに（図２（Ｂ））テープガイド２３３をそのときの状態（位置）に維持するため、駆動ギア２３０の突部を先端部の係合溝によって係止し、ロック状態とする。また、第１のカバー１１０が閉鎖状態となったときに当該第１のカバー１１０の内側の面に当接して押し下げられて当該係合溝から当該突部が外れ、ロック状態が解除されリリース状態となるように構成されている。
【００８４】
（アーム回動機構の動作）
次に、図２を用いてこの発明の実施形態にかかる塗膜転写具におけるアーム回動機構の動作について説明する。
【００８５】
まず、ユーザが第２のカバー１２０を各フック１２２（図５参照）同士が対向する方向に挟み、フック同士を近接させることにより、固定孔１１４ａ・１１４ｂの内壁とフック１２２それぞれとの掛合が解除される。
【００８６】
固定孔１１４ａ・１１４ｂの内壁とフック１２２それぞれとの掛合が解除されると、次に第１のカバー１１０と第２のカバー１２０を離隔させる方向に回動させ、本体ケース１００を展開させることができる。
【００８７】
この第１のカバー１１０が展開される（図２（Ａ）のＸ方向へ回動する）ことにより、駆動ギア２３０の突部に対し、駆動カバー１１０ａに形成された複数の係合溝１１３が当接し、第１のカバー１１０が展開される方向へ当該突部を押し出す。第１のカバー１１０が展開されていくことによってこの動作が連続的に行われ、駆動ギア２３０が係合溝１１３と当接した分に応じて回転する。
【００８８】
駆動ギア２３０が回転することにより、交換ベース２０１における駆動ギア２３０が形成されている面に対する裏面に貫通し、駆動ギア２３０に固定されている筒体２３１も回転する。この筒体２３１の回転に応じて、当該筒体２３１に係合された第１のアーム１５１がアーム回動軸１３４を支点として回動する。
【００８９】
第１のアーム１５１が回動することにより、回動筒１５１ａに係合された第２のアーム２３２が回動する。これらの動作により、テープヘッド１５３が送出シャフト１３２の方向に回動し（図３（Ｂ））、他方、テープヘッド１５３と対称位置にあるテープガイド２３３が入れ替わって塗膜転写具の先端（図２の左側）に配置される。
【００９０】
この駆動ギア２３０の回転量は、駆動カバー１１０ａの係合溝１１３が制御する。すなわち、テープヘッド１５３の位置とテープガイド２３３の位置が入れ替わる分だけ第１のアーム１５１および第２のアーム２３２を回動させるように駆動ギア２３０を回転させるために、テープガイド２３３が所定の位置に配置されるまで係合溝１１３の複数の突部が駆動ギア２３０を押し出し、テープガイド２３３が所定位置に配置されると係合溝１１３と駆動ギア２３０の係合関係が解除される。
【００９１】
一方、ユーザによって交換ホルダ２００の交換が完了し、第１のケース１１０と第２のケース１２０を近接させて本体ケース１００を閉鎖させる動作を行うと、駆動カバー１１０ａと係合溝１１３が係合し、駆動ギア２３０が逆方向に回転する。
【００９２】
駆動ギア２３０が逆回転されると、テープガイド２３３とテープヘッド１５３が回動して位置が入れ替わる。この回転量は本体ケース１００が展開される際の回転量と同量であり、第１のカバー１１０と第２のカバー１２０が当接することにより、駆動ギア２３０の回転が規制される。
【００９３】
（ロック機構の動作）
次に、図２および図４を用いて本発明の実施形態にかかる塗膜転写具における第１のロック機構としてのアームベース１５２および係合片１５４と、第２のロック機構２４０の動作について説明する。
【００９４】
図２（Ａ）および図４に示すような本体ケース１００の閉鎖時には、第１のロック機構としての切欠部１５２ｄと係合片１５４とは係合状態となっており、ロック状態となっている。これに対し第２のロック機構２４０はアーム全体が駆動カバー１１０ａに押し下げられており先端部の当該機構における係合溝と駆動ギア２３０の突部が係合せず、リリース状態となっている（ロック状態が解除されている）。そして、駆動カバー１１０ａを第２のカバー１２０に近接させるにつれ係合溝１１３が駆動ギア２３０を回転させてテープヘッド１５３を先端に位置させ、転写テープを張架させる（図３（Ａ））。
【００９５】
一方、図２（Ｂ）に示すような本体ケース１００の展開時においては、駆動カバー１１０ａが第２のロック機構２４０と当接しなくなり、駆動ギア２３０の突部が当該第２のロック機構２４０と係合し、駆動ギア２３０の回転を規制する。これによって、テープヘッド１５３の位置が固定される。このときテープヘッド１５３の位置は、駆動カバー１１０ａが第２のカバー１２０から離隔するにつれ、係合溝１１３が駆動ギア２３０を回転させおよそ１８０度半回転し、送出シャフト１３２の方向へ回動する。また、テープガイド２３３が回動して先端位置に配置され、転写テープを張架する（図３（Ｃ））。第２のロック機構２４０はその状態を維持する。つまり、交換ホルダ２００がテープベース１３０に装着されていなくてもこの状態を維持するものである。
【００９６】
また、図２（Ｂ）・（Ｃ）に示すような本体ケース１００の展開時においては、まずテープヘッド１５３が回動を開始する動作に応じて第１のロック機構としてのアームベース１５２の切欠部１５２ｄから係合片１５４が解放されリリース状態となる。次いで、アームベース１５２は第１のアーム１５１等の回動とともに回転し、テープヘッド１５３が所定位置まで回動すると、係合片１５４がアームベース１５２の切欠部１５２ｅに係合する。この切欠部１５２ｅは、本体ケース１００の閉鎖状態において係合していた切欠部１５２ｄと対称位置となる。
【００９７】
この係合によって、第１のロック機構はロック状態となり、アームベース１５２の回転を規制し、それによって第１のアーム１５１の回動も規制する。
【００９８】
このようなアームベース１５２および係合片１５４を有して構成される第１のロック機構と、第２のロック機構２４０が各部に作用することにより、交換ホルダ２００がテープベース１３０に装着されていなくてもテープヘッド１５３およびテープガイド２３３の位置を固定することができる。すなわち、交換ホルダ２００をテープベース１３０に装着させる際においてテープヘッド１５３およびテープガイド２３３の位置を調整する必要がなく、適切な位置で装着させることができるため、交換時の煩雑さを解消することができる。
【００９９】
（作用・効果）
以上説明したこの発明の実施形態にかかる塗膜転写具の作用および効果について説明する。
【０１００】
本実施形態にかかる塗膜転写具は、交換ホルダ２００の交換に際して、本体ケース１００を展開させる動作または閉鎖させる動作に応じてテープヘッド１５３とテープガイド２３３の位置が入れ替わる構成となっている。したがって、当該動作に応じて転写テープの張架状態が、本体ケース１００の展開時において張架される転写テープが弛緩状態となり、閉鎖時において緊張状態となるように切り替わる。
【０１０１】
また、転写テープの弛緩状態においてもテープベース１３０に装着されたテープガイドが転写テープを当該テープベース１３０の先端で保持する構成となっている。
【０１０２】
本実施形態にかかる塗膜転写具における以上の作用により、当該塗膜転写具における転写テープの張架状態を本体ケース１００の展開・閉鎖に応じて、塗膜転写具の機能に基づき転換させることができ、塗膜転写具における交換ホルダ２００の脱着が容易となり、転写テープの交換が容易となるとともに、塗膜転写具の使用時においては転写テープの張架状態を緊張状態とすることができ、塗膜の転写ムラが生じるといった不都合を回避することが可能となる。
【０１０３】
また、本実施形態における塗膜転写具は、駆動ギア２３０と駆動カバー１１０ａが連動し、塗膜転写具の先端部分においてテープベース１３０に設けられたアーム回動機構１５０を回動させることができ、第１のアーム１５１の回動範囲が大きくないので、第１のアーム１５１の回動に要するスペースを低減することができる。ひいては、塗膜転写具の大型化を防止し、設計の自由度を確保することができる。
【０１０４】
また、本実施形態における塗膜転写具は、塗膜転写具の本体ケース１００に軸支されたテープベース１３０にテープヘッド１５３を設ける構成となっているから、転写テープの交換における塗膜転写具の部材の再利用という観点から効率がよい。
【０１０５】
また、本実施形態における塗膜転写具は、転写テープの交換に際して、テープヘッド１５３を回動させ転写テープを張架させるときに未使用転写テープを大幅に引き出してしまうことがなく、未使用転写テープに付着されている塗膜を消費することなく巻き取らせてしまう事態を回避することができる。
【０１０６】
本発明の実施形態にかかる塗膜転写具は修正テープやテープ糊などをはじめとする塗膜転写具に利用することができ、その他の塗膜の転写にも利用することができる。
【図面の簡単な説明】
【０１０７】
【図１】この発明の実施形態にかかる塗膜転写具の外形を示す斜視図である。
【図２】この発明の実施形態にかかる塗膜転写具において交換ホルダを交換する際の塗膜転写具の動作を説明するための展開図である。
【図３】この発明の実施形態にかかる塗膜転写具において交換ホルダを交換する際の塗膜転写具のテープヘッドの動作を説明するための展開図である。
【図４】この発明の実施形態における塗膜転写具の正面図である。
【図５】この発明の実施形態における塗膜転写具の各構成部品とその結合関係を示す分解斜視図である。
【図６】この発明の実施形態における塗膜転写具を第２のカバー側から見た下面図である。
【図７】この発明の実施形態における塗膜転写具の本体カバーを構成する各構成部品を示す正面図である。
【図８】この発明の実施形態における塗膜転写具のテープベースおよびテープベースに取り付けられる第１のロック機構を示す正面図である。
【図９】この発明の実施形態における塗膜転写具の交換ホルダおよび交換ホルダに取り付けられる各部を示す正面図である。
【図１０】この発明の実施形態における塗膜転写具の交換ホルダを示す概略斜視図である。
【符号の説明】
【０１０８】
１００  本体ケース
１１０  第１のカバー
１１０ａ  駆動カバー
１１０ｂ  収容カバー
１１１ａ  軸部
１１２ａ  周壁部
１１３  係合溝
１１４ａ  固定孔
１２０  第２のカバー
１２１ａ  嵌合部
１２２  フック
１２３  キャップ
１３０  テープベース
１３１  保持孔
１３２  送出シャフト
１３３  巻取りシャフト
１３４  アーム回動軸
１４０  ボビン駆動機構
１４１  送出ギア
１４２  巻取りギア
１４３  クラッチ機構
１５０  アーム駆動機構
１５１  第１のアーム
１５１ａ  回動筒
１５１ｂ  アーム部
１５１ｃ  保持部
１５２  アームベース
１５２ｃ  保持部
１５２ｄ  切欠部
１５３  テープヘッド
１５３ａ  ヘッド回転軸
１５４  係合片
２００  交換ホルダ
２０１  交換ベース
２１０  送出ボビン
２２０  巻取りボビン
２３０  駆動ギア
２３１  筒体
２３２  第２のアーム
２３３  テープガイド
２４０  第２のロック機構
【図１】
2008168554.tif 000003
【図２】
2008168554.tif 000004
【図３】
2008168554.tif 000005
【図４】
2008168554.tif 000006
【図５】
2008168554.tif 000007
【図６】
2008168554.tif 000008
【図７】
2008168554.tif 000009
【図８】
2008168554.tif 000010
【図９】
2008168554.tif 000011
【図１０】
2008168554.tif 000012